(57)【要約】【課題】取扱い及び製造が容易で、魚釣りの遊戯としての楽しみを残しつつ、素早く魚を取り込むことができる釣魚用補助具を提供する。【解決手段】環状に形成されて一部分に釣糸６１の通過を許容する開口部１１が形成される環状体１０と、開口部１１を開閉自在に塞ぐ弾性体２０と、を備え、弾性体２０は、開口部１１に臨む環状体１０の一方の端部１３近傍に支持されると共に、一方の端部１３に相対する環状体１０の他方の端部１２近傍に環状体１０の内径側から当接し、閉方向に付勢される。釣魚用補助具１の開口部１１から釣糸６１を通し、釣魚用補助具１を落とし込むと釣糸６１をガイドとして魚６３まで落ちていく。これにより、釣魚用補助具１が魚６３にはまり、鰓呼吸を妨げ、魚６３を弱らせて、魚６３を素早く取り込むことができる。【選択図】図１
2016214144.tif 000002
【特許請求の範囲】
【請求項１】
環状に形成されて一部分に釣糸の通過を許容する開口部が形成される環状体と、
前記開口部を開閉自在に塞ぐ弾性体と、を備え、
前記弾性体は、前記開口部に臨む前記環状体の一方の端部近傍に支持されると共に、前記一方の端部に相対する前記環状体の他方の端部近傍に前記環状体の内径側から当接し、閉方向に付勢されることを特徴とする釣魚用補助具。
【請求項２】
前記環状体は、縦長に形成され、
前記開口部は、前記環状体の縦方向の中間部に形成されることを特徴とする請求項１に記載の釣魚用補助具。
【請求項３】
前記一方の端部近傍の一方の側部には、第１の支持穴が形成され、
前記一方の側部の反対側となる他方の側部には、第２の支持穴が形成され、
前記弾性体は、鋼線を曲折成形することにより形成されて、前記他方の端部近傍に当接する当接部と、前記当接部の両端から各々曲折形成される第１の腕部及び第２の腕部と、前記当接部の反対側となる前記第１の腕部及び前記第２の腕部の各々の端部から曲折形成されて前記第１の支持穴及び前記第２の支持穴に各々挿通される第１の支持部及び第２の支持部と、を有し、
前記第１の腕部及び前記第２の腕部は、異なる長さに形成され、
前記第１の支持穴及び前記第２の支持穴は、互いの軸をずらして形成されることを特徴とする請求項１または請求項２に記載の釣魚用補助具。
【請求項４】
前記弾性体は、前記環状体に取り付けられる前の状態において、前記第１の腕部と前記第２の腕部とが所定の角度で傾斜するよう形成されることを特徴とする請求項３に記載の釣魚用補助具。
【請求項５】
前記環状体は、鋼製の丸棒を曲折成形することにより形成され、
前記当接部は、前記他方の端部近傍の内径側の表面形状に対応して略円弧状に形成されることを特徴とする請求項３または請求項４に記載の釣魚用補助具。
【発明の詳細な説明】
【技術分野】
【０００１】
本発明は、魚釣りにおいて針掛かりした魚を弱らせて取り込み時間を短縮するために用いられる釣魚用補助具に関する。
【背景技術】
【０００２】
従来、釣りにおいて魚等の取り込みを補助する器具として、魚等の引き上げを補助する器具や魚等を弱らせる器具が知られている。
【０００３】
例えば、特許文献１には、錘部と、錘部の上方に取り付けられる吊り下げ部と、を有する魚取り込み具が開示されている。錘部は、Ｖ字状にカットされた金属板で構成され、Ｖ字状のカット部分に釣糸が挿通可能な切り込み部が形成される。
【０００４】
吊り下げ部は、逆Ｕ字状に構成され、上部にロープを係合させるためのロープ連結部を有する。切り込み部に釣糸を通すと、釣糸に取り付けられた装着部品が錘部に引っ掛かり釣糸が固定される。この状態で、ロープ連結具に係合されたロープで魚取り込み具を引き上げることによって、竿やリールに大きな負担を掛けずに仕掛けを引き上げることができる。
【０００５】
また、例えば、特許文献２には、浮き本体と、外郭体と、を有する大型、中型魚を早く衰えさせる浮子が開示されている。外郭体は、浮き本体の外側に開閉自在に取り付けられる。これにより、釣糸によって浮子が魚に引っ張られた場合に、外郭体は、傘状に開き大きな水の抵抗を受ける。これにより、魚に掛かる負荷が大きくなるため魚を早く弱らせることができ、魚を早く取り込むことができる。
【先行技術文献】
【特許文献】
【０００６】
【特許文献１】実開平３−５０８７２号公報（第３−６頁、第１図）
【特許文献２】特開２０１４−１１３１２９号公報（第４−５頁、第１図）
【発明の概要】
【発明が解決しようとする課題】
【０００７】
例えば、乗り合いの漁船による海釣りのように、複数の人が同じ船上で魚釣りを行う場合、仕掛けに魚が掛かり、魚が激しく暴れると、魚が掛かった仕掛けと他の仕掛けとが絡まってしまう。そこで、仕掛けの絡まりを防止するために、魚が掛かった仕掛け以外の仕掛けを船上に引き上げることが行われている。これにより、魚を釣り上げる人以外は、針掛かりした魚が取り込まれるまで魚釣りを楽しむことができない。そのため、素早く魚を取り込むことが求められる。
【０００８】
しかしながら、上記した従来技術では、魚釣りの遊戯としての楽しみを残しつつ、針掛かりした魚を素早く取り込むといった観点において改善の余地があった。
【０００９】
具体的には、特許文献１に開示された魚取り込み具では、ロープを用いて仕掛けを引き上げる方法、即ち本来の魚釣りと異なる方法によって魚を取り込むため、魚釣りの楽しみが損なわれてしまう。また、魚取り込み具に、ロープの取り付けや糸を通す作業等を行わなければならず、その作業が容易ではなかった。
【００１０】
また、特許文献２に開示された浮子では、釣糸に水の抵抗を受ける浮子を取り付けるため、魚が釣糸を引く強さが釣人の手元まで伝わり難い。そのため、魚の引きを十分に楽しむことができない。また、同文献の浮子は、構造が複雑で部品数が多く、製造が容易ではないという問題点もある。
【００１１】
本発明は、上記の事情に鑑みてなされたものであり、その目的とするところは、取扱い及び製造が容易で、魚釣りの遊戯としての楽しみを残しつつ、素早く魚を取り込むことができる釣魚用補助具を提供することにある。
【課題を解決するための手段】
【００１２】
本発明の釣魚用補助具は、環状に形成されて一部分に釣糸の通過を許容する開口部が形成される環状体と、前記開口部を開閉自在に塞ぐ弾性体と、を備え、前記弾性体は、前記開口部に臨む前記環状体の一方の端部近傍に支持されると共に、前記一方の端部に相対する前記環状体の他方の端部近傍に前記環状体の内径側から当接し、閉方向に付勢されることを特徴とする。
【発明の効果】
【００１３】
本発明の釣魚用補助具は、略環状に形成される環状体を有する。これにより、環状体を魚の鰓近傍に取り付けて、魚の鰓呼吸を妨げることができる。その結果、魚を弱らせて素早く取り込むことができる。また、釣魚用補助具は、ロープ等を用いて魚を引き上げる場合と異なり、最後まで魚の引きを楽しむことができるので、魚釣りの遊戯としての楽しさを損なわない。
【００１４】
また、釣魚用補助具の環状体には、一部に釣糸の通過を許容する開口部が形成される。これにより、開口部を通じて、釣魚用補助具の内側に釣糸を通すことができる。その結果、釣糸をガイドとして、釣魚用補助具を落とし込み、魚まで送ることができる。
【００１５】
また、釣魚用補助具は、環状体の開口部を開閉自在に塞ぐ弾性体を有する。弾性体は、開口部に臨む環状体の一方の端部近傍に支持されると共に、一方の端部に相対する環状体の他方の端部近傍に環状体の内径側から当接する。内径側から当接するため、釣魚用補助具の外側から弾性体に釣糸等を押し付けることにより、弾性体を開き釣糸を環状体の内側に通すことができる。これにより、釣魚用補助具の取り付けを容易にすることができる。
【００１６】
また、弾性体は、環状体の内径側から閉方向に付勢される。そのため、釣糸を通した後に、弾性体が自動的に閉方向に戻り環状体の開口部が閉じられる。これにより、簡単な動作で、釣糸の外れを防止することができる。
【００１７】
また、環状体は、縦長の形状を有し、縦方向の中間部に開口部が形成されても良い。これにより、釣魚用補助具を釣糸に吊り下げた場合、釣糸は、釣魚用補助具の開口部から離れた位置に当接する。即ち、弾性体と釣糸が接触しないため、釣糸が釣魚用補助具から外れることを防止でき、釣糸の損傷を抑えることができる。
【００１８】
また、弾性体は、鋼線を曲折成形することにより形成されても良い。これにより、高強度の弾性体を容易に成形することができる。
【００１９】
また、環状体の一方の端部近傍の一方の側部には、第１の支持穴が形成され、一方の側部の反対側となる他方の側部には、第２の支持穴が形成される。弾性体は、環状体の他方の端部近傍に当接する当接部と、当接部の両端から各々曲折形成される第１の腕部及び第２の腕部と、当接部の反対側となる第１の腕部及び第２の腕部の各々の端部から曲折形成されて第１の支持穴及び第２の支持穴に各々挿通される第１の支持部及び第２の支持部と、を有する。第１の腕部及び第２の腕部は、異なる長さに形成されても良く、また、第１の支持穴及び第２の支持穴を、互いの軸をずらして形成しても良い。弾性体の第１の腕部及び第２の腕部の長さが夫々異なるため、弾性体を閉方向に付勢する力が与えられる。
【００２０】
また、弾性体の第１の腕部及び第２の腕部は、環状体に取り付けられる前の状態において、所定の角度で傾斜するように形成されても良い。これにより、弾性体の閉方向への付勢力を強めることができる。
【００２１】
また、環状体は、鋼製等の丸棒を曲折成形することにより形成されても良い。これにより、丈夫で耐久性に優れる環状体を容易に成形することができる。
【００２２】
また、弾性体の当接部は、環状体の他方の端部近傍の内径側の表面形状に対応して略円弧状に形成されても良い。これにより、当接部は、丸棒によって形成される環状体と隙間なく当接することができるため、釣糸の外れを防止することができる。また、当接部が円弧状に形成されるため、弾性体に開閉方向に対して横向きの力が加わった場合であっても弾性体が外れてしまうことを防止できる。
【図面の簡単な説明】
【００２３】
【図１】本発明の実施形態に係る釣魚用補助具の左側面図である。
【図２】本発明の実施形態に係る釣魚用補助具の環状体の開口部近傍の拡大図（図１に示すＡ部詳細図）である。
【図３】本発明の実施形態に係る釣魚用補助具の弾性体の（Ａ）平面図、（Ｂ）左側面図、（Ｃ）正面図である。
【図４】本発明の実施形態に係る釣魚用補助具の（Ａ）閉状態、（Ｂ）開状態を示す左側面図（図１に示すＡ部詳細図）である。
【図５】本発明の実施形態に係る釣魚用補助具の（Ａ）糸を通した状態、（Ｂ）魚に取り付けられた状態を示す説明図である。
【図６】本発明の他の実施形態に係る釣魚用補助具の左側面図である。
【発明を実施するための形態】
【００２４】
以下、本発明の実施形態に係る釣魚用補助具を図面に基づき詳細に説明する。
図１は、本発明の実施形態に係る釣魚用補助具１の左側面図である。釣魚用補助具１は、例えば、マグロやカツオ等の比較的大型の魚類を釣る場合に、魚の取り込みを補助するための器具である。
【００２５】
図１に示すように、釣魚用補助具１は、略環状に形成される環状体１０と、弾性体２０と、を有する。環状体１０は、一部に釣糸６１（図５参照）の通過を許容する開口部１１が形成され、略Ｃ字状若しくは略コ字状に形成される。これにより、環状体１０の内側に釣糸６１を通すことができる。
【００２６】
また、環状体１０は、例えば、ステンレス鋼等の丸棒を曲折成形することによって形成される。これにより、丈夫で耐久性に優れる環状体１０を容易に形成することができる。
【００２７】
開口部１１を開閉自在に塞ぐ弾性体２０は、開口部１１に臨む環状体１０の一方の端部１３に支持されると共に、一方の端部１３に相対する環状体１０の他方の端部１２近傍に環状体１０の内径側から当接し、閉方向に付勢される。詳しくは図３を参照して後述する。
【００２８】
図２は、釣魚用補助具１の環状体１０の端部１２、１３近傍の拡大図（図１に示すＡ部詳細図）である。図２に示すように、端部１２及び端部１３には、面取り加工が施される。即ち、開口部１１の縁は、滑らかに形成される。
【００２９】
これにより、開口部１１に釣糸６１（図５参照）を通過させる際、端部１２及び端部１３に釣糸６１が引っ掛かることを抑えることができる。その結果、釣糸６１の損傷を防止でき、釣糸６１を釣魚用補助具１の内側に通す作業を容易に行うことができる。
【００３０】
環状体１０の端部１３近傍には、弾性体２０（図３参照）を支持するための支持穴１５（第１の支持穴）及び支持穴１６（第２の支持穴）が形成される。支持穴１５は、支持穴１６よりも開口部１１に近い位置に設けられる。即ち、支持穴１５、１６は、同軸ではなく、夫々異なる軸上に形成される。
【００３１】
支持穴１５は、環状体１０の一方の側部、即ち右側部（紙面奥）に形成される。詳しくは、支持穴１５は、右側部に対して略垂直に形成される。支持穴１５には、弾性体２０の後述する支持部２４（第１の支持部、図３参照）が挿入される。
【００３２】
また、支持穴１６は、環状体１０の一方の側部の反対側となる他方の側部、即ち左側部（紙面手前）に形成される。詳しくは、支持穴１６は、左側部に対して略垂直に形成される。支持穴１６には、弾性体２０の後述する支持部２５（第２の支持部、図３参照）が挿入される。
【００３３】
なお、支持穴１５、１６は、貫通しない穴でも良い。これにより、支持穴１５、１６の加工を容易にすることができる。また、支持穴１５、１６は、貫通孔でも良い。これにより、海水やゴミ等の通りを良くし、耐久性を高めることができる。
【００３４】
図３（Ａ）は、釣魚用補助具１の弾性体２０の平面図であり、図３（Ｂ）は、同左側面図であり、図３（Ｃ）は、同正面図である。なお、図３（Ａ）において、紙面上方向が釣魚用補助具１の内方向である。また、図３（Ｂ）において、紙面右方向が釣魚用補助具１の外方向で、紙面左方向が内方向である。
【００３５】
図３（Ａ）ないし（Ｃ）に示すように、弾性体２０は、環状体１０（図２参照）の他方の端部１２（図２参照）近傍に当接する当接部２３と、当接部２３の両端から各々曲折成形される右腕部２１（第１の腕部）及び左腕部２２（第２の腕部）と、当接部２３の反対側となる右腕部２１及び左腕部２２の各々の端部から曲折成形されて環状体１０の端部１３（図２参照）の支持穴１５（図２参照）及び支持穴１６（図２参照）に各々挿通される支持部２４（第１の支持部）及び支持部２５（第２の支持部）と、を有する。
【００３６】
弾性体２０は、例えば、ステンレス鋼線若しくは丸棒等を曲折成形した後、低温による焼きなまし処理（テンパー処理）を施すことにより形成される。これにより、弾性に優れ高強度且つ高耐候性の弾性体２０を容易に形成することができる。
【００３７】
図３（Ａ）に示すように、弾性体２０に形成される当接部２３は、環状体１０の他方の端部１２近傍の内径側の表面形状に対応して略半円の円弧状に形成される。これにより、当接部２３は、丸棒により形成される環状体１０の端部１２と隙間なく当接することができる。その結果、釣糸６１（図５参照）が釣魚用補助具１から外れることを防止することができる。
【００３８】
また、右腕部２１及び左腕部２２が夫々環状体１０の右側部及び左側部に来るように、当接部２３は、環状体１０の内径側に当接する。これにより、開閉方向に対して横方向の力が弾性体２０に加わった場合であっても、弾性体２０は、横方向に外れることなく、閉じた状態を維持することができる。
【００３９】
図３（Ｂ）及び（Ｃ）に示すように、右腕部２１は、当接部２３の一方の端部から曲折され、左腕部２２は、当接部２３の他方の端部から曲折される。また、右腕部２１及び左腕部２２は、正面視の図３（Ｃ）に示すように、夫々同一方向（紙面下向き）で略平行に配設される。
【００４０】
これにより、弾性体２０は、環状体１０の端部１３を右腕部２１及び左腕部２２によって挟み込むようにして、環状体１０の端部１３に固定される。その結果、弾性体２０は、環状体１０から外れにくくなる。
【００４１】
支持部２４は、当接部２３の反対側となる右腕部２１の端部から、弾性体２０の内側、即ち右側から左側に向かって右腕部２１と略垂直に曲折され、環状体１０の支持穴１５に挿入される。
【００４２】
また、支持部２５は、当接部２３の反対側となる左腕部２２の端部から、弾性体２０の内側、即ち左側から右側に向かって左腕部２２と略垂直に曲折され、環状体１０の支持穴１６に挿入される。
【００４３】
図３（Ｂ）に示すように、左腕部２２の長さＬ２は、右腕部２１の長さＬ１より長く形成される。これにより、右腕部２１及び左腕部２２の端部に形成される支持部２４、２５は、同軸ではなく、異なる軸上に形成される。
【００４４】
例えば、弾性体２０の腕部の長さＬ１、Ｌ２が同じ長さに形成され、環状体１０に形成される支持穴１５、１６が同軸上に形成される場合、弾性体２０は、支持穴１５、１６を軸に回動自在な状態で環状体１０に取り付けられる。
【００４５】
しかしながら、本実施形態では、弾性体２０の長さＬ１、Ｌ２が夫々異なる長さで形成され、環状体１０の支持穴１５、１６が夫々異なる軸上に形成される。これにより、弾性体２０は、回動が制限された状態で環状体１０に固定される。その結果、弾性体２０は、元の姿勢に戻ろうとする復元力を得ることができる。
【００４６】
釣魚用補助具１では、弾性体２０に働く復元力を、弾性体２０を閉じるための付勢力として利用する。そのため、弾性体２０は、ばね等の付勢手段を別途設けることなく、弾性体２０自体の復元力によって、開口部１１（図１参照）を閉じる方向に付勢される。
【００４７】
このように、弾性体２０が閉方向に付勢されるため、弾性体２０は、環状体１０に押し付けられた状態になる。これにより、弾性体２０は、環状体１０の内側に挿通された釣糸６１（図５参照）の外れを防止することができる。
【００４８】
また、右腕部２１より曲折される支持部２４は、左腕部２２より曲折される支持部２５より環状体１０の内側に形成される。即ち、左側面視の図３（Ｂ）に示すように、右腕部２１及び左腕部２２は、所定の角度θで傾斜するように形成される。これにより、弾性体２０を環状体１０に取り付けた場合、弾性体２０の閉方向への付勢力を強めることができる。
【００４９】
なお、右腕部２１及び左腕部２２は、弾性体２０の左右が反転するように形成されても良い。具体的には、弾性体２０の、左腕部２２の長さＬ２を右腕部２１の長さＬ１よりも短く形成し、支持部２４を支持部２５よりも環状体１０の外径側に形成し、これに対応するように環状体１０に形成される支持穴１５、１６の穴の位置を左右反転して形成しても良い。これによっても、弾性体２０を閉方向に付勢することができる。
【００５０】
図４（Ａ）は、釣魚用補助具１の開口部１１が閉じている状態を示す左側面図（図１に示すＡ部詳細図）であり、図４（Ｂ）は、開口部１１が開いている状態を示す左側面図である。図４（Ａ）に示すように、弾性体２０の支持部２４、２５は、夫々環状体１０の支持穴１５、１６に挿入され支持される。
【００５１】
前述のように、弾性体２０の右腕部２１及び左腕部２２は、夫々長さが異なり、角度θ（図３参照）を有する状態で形成される。これにより、例えば、当接部２３が環状体１０の端部１２に当接しない場合、鎖線Ｘで示すように、弾性体２０は、環状体１０の外側になる。そのため、当接部２３を端部１２に内径側から当接させると、弾性体２０自体の復元力によって、弾性体２０を閉方向、即ち外方向に強い力で付勢することができる。
【００５２】
図４（Ｂ）に示すように、弾性体２０に開方向、即ち環状体１０の内側に向かう外部からの力を加えることによって、開口部１１を開くことができる。そのため、例えば、釣糸６１（図５参照）を釣魚用補助具１の外側から弾性体２０に押し付けることにより、開口部１１を開けて釣糸６１を釣魚用補助具１の内側に通すことができる。これにより、釣糸６１を容易に釣魚用補助具１に通すことができる。
【００５３】
また、釣魚用補助具１を釣糸６１に取り付ける場合、例えば、釣魚用補助具１の弾性体２０を釣竿６２（図５参照）に押し付けることにより、釣魚用補助具１の内径側に釣糸６１と釣竿６２とを通しても良い。これにより、釣竿６２を保持したまま、釣魚用補助具１の装着を手元近くで容易に行うことができる。
【００５４】
また、開口部１１を開けた後、弾性体２０は、弾性体２０自体の復元力で閉じる状態に戻るため、弾性体２０を閉じる動作を必要としない。そのため、釣魚用補助具１を釣糸６１に取り付けた後、素早く次の動作、即ち釣魚用補助具１を落とし込む動作を行うことができる。
【００５５】
図５（Ａ）は、釣魚用補助具１の内側に釣糸６１を通した状態を示す図であり、図５（Ｂ）は、釣魚用補助具１が魚６３にはまった状態を示す図である。図５（Ａ）に示すように、釣魚用補助具１の内側に釣糸６１を通し釣魚用補助具１を水中に落とし込むと、釣魚用補助具１は、環状体１０の内径側と釣糸６１とが接触を繰り返すことにより、釣糸６１をガイドとして魚６３まで落ちていく。
【００５６】
また、環状体１０は、丸棒によって形成されているので、釣魚用補助具１と釣糸６１とが引っ掛かりにくく、釣魚用補助具１は、途中で止まることなく魚６３まで運ばれる。また、環状体１０と釣糸６１とが滑らかに滑るので、釣糸６１の損傷も少ない。
【００５７】
図５（Ｂ）に示すように、釣魚用補助具１は、魚６３の鰓６４近傍を外側から押さえるように魚６３にはまる。これにより、魚６３の鰓呼吸を妨げ、魚６３を弱らせることができるので、魚６３を素早く取り込むことができる。
【００５８】
また、釣魚用補助具１なしで釣り上げる場合と比べ、釣魚用補助具１を用いることにより、魚６３の暴れが少なくなる。これにより、魚６３を傷付けずに引き上げることができる。また、従来技術の引き上げ具等を使用した場合と異なり、最後まで釣竿６２によって魚６３と格闘することができるので、魚釣りの楽しみを損なうことがない。
【００５９】
図６は、本発明の他の実施形態に係る釣魚用補助具１０１の左側面図である。なお、既に説明した実施形態と同一若しくは同様の作用、効果を奏する構成要素については、同一の符号を付し、その説明を省略する。
図６に示すように、釣魚用補助具１０１は、縦に長い略楕円形状に形成される環状体１１０と、弾性体２０と、を有する。
【００６０】
環状体１１０は、縦方向の中間部に開口部１１が形成され、略Ｃ字状若しくは略コ字状に形成される。環状体１１０は、円弧部１８ａ、１８ｂと、直線部１９ａ、１９ｂ、１９ｃと、端部１２、１３と、を有する。直線部１９ａの上方の端部から円弧部１８ａが延設され、直線部１９ａの下方の端部から円弧部１８ｂが延設される。
【００６１】
また、直線部１９ａの反対側となる円弧部１８ａ及び円弧部１８ｂの端部には、夫々直線部１９ｂ、直線部１９ｃが延設される。円弧部１８ａの反対側となる直線部１９ｂの端部１２及び円弧部１８ｂの反対側となる直線部１９ｃの端部１３は、夫々対向するように配設され、開口部１１を形成する。
【００６２】
魚６３（図５参照）の横断面が略楕円形状であるため、縦長の釣魚用補助具１０１は、魚６３にはまったとき、魚６３の鰓６４（図５参照）近傍をしっかりと押さえることができ、魚６３を早く弱らせることができる。
【００６３】
また、釣魚用補助具１０１の内側に釣糸６１（図５参照）を通し、釣糸６１に釣魚用補助具１０１を吊り下げた場合、釣魚用補助具１０１が略楕円形状であるため、釣糸６１は、円弧部１８ａ及び円弧部１８ｂの何れかの内径側に当接する。
【００６４】
即ち、開口部１１及び弾性体２０と離れた位置の内径側に釣糸６１が当接するため、弾性体２０と釣糸６１とが当接しない。その結果、釣糸６１の外れ及び損傷を防止しつつ、釣魚用補助具１０１を魚６３までスムーズに送ることができる。
【００６５】
なお、釣魚用補助具１０１の環状体１１０に、直線部１９ａ、１９ｂ、１９ｃを形成しなくても良い。即ち、環状体１１０の全体を曲線状にして縦長の略楕円形状に形成しても良い。
【００６６】
また、釣魚用補助具１０１は、例えば、マグロ用、カツオ用等、ターゲットとする魚の大きさや形状に合わせた形態にしても良い。これにより、魚６３の鰓６４近傍を効果的に押さえることができる。
【００６７】
なお、本発明は、上記実施形態に限定されるものではなく、その他、本発明の要旨を逸脱しない範囲で、種々の変更実施が可能である。
【符号の説明】
【００６８】
１、１０１    釣魚用補助具
１０、１１０  環状体
１１    開口部
１２、１３    端部
１５、１６    支持穴
２０    弾性体
２１    右腕部
２２    左腕部
２３    当接部
２４、２５    支持部
【図１】
2016214144.tif 000003
【図２】
2016214144.tif 000004
【図３】
2016214144.tif 000005
【図４】
2016214144.tif 000006
【図５】
2016214144.tif 000007
【図６】
2016214144.tif 000008